(57)【特許請求の範囲】
【請求項１】
竿杆の外側に設ける釣糸ガイドであって、該釣糸ガイドは、釣糸を挿通させるガイドリングを、竿杆に装着させるガイド保持体のガイド保持部で保持した構造であり、前記ガイドリングとガイド保持部との内の少なくとも一方に他方側に突出した凸部を設けており、該凸部が他方に当接するようにガイドリングがガイド保持部の内側に嵌合していると共に、前記一方が前記ガイドリングであり、該ガイドリングの外周面部の幅方向中央に溝を設けており、前記凸部は、前記ガイドリング及び前記ガイド保持部とは別部材で形成され、前記他方の材料よりも柔らかい材料で形成されていて、前記ガイドリングの溝に付着形成されており、該ガイドリングの円周方向に間隔をあけて複数個設けられていることを特徴とする釣糸ガイド。
【請求項２】
前記凸部の前記他方と当接している部分は、削られた状態を有するか、押し潰された状態の当接面となっている請求項１記載の釣糸ガイド。
【請求項３】
前記ガイドリングとガイド保持部との間は、前記凸部に対して周方向に隣接した領域が空隙部を有しており、該空隙部に接着剤が充填されている請求項１又は２記載の釣糸ガイド。
【請求項４】
竿杆の外側に設ける釣糸ガイドの製造方法であって、
釣糸を挿通させるガイドリングと、該ガイドリングを竿杆に装着させるガイド保持体のガイド保持部との内の少なくとも一方に、他方の材料よりも柔らかい材料で所定部位に凸部を付着形成させ、
前記一方が前記ガイドリングであり、該ガイドリングの外周面部の幅方向中央に溝を設けており、前記凸部は、前記ガイドリング及び前記ガイド保持部とは別部材で形成されて前記溝に付着形成されると共に、前記ガイドリングの円周方向に間隔をあけて複数個設けられ、
前記凸部の一部が削られつつ、或いは該凸部が変形しつつ前記他方に当接するようにガイドリングをガイド保持部に圧入させる
ことを特徴とする釣糸ガイドの製造方法。
【発明の詳細な説明】
【技術分野】
【０００１】
本発明は釣竿竿杆の外側に装着させる釣糸ガイドとその製造方法に関する。
【背景技術】
【０００２】
釣糸ガイドは、硬質材であるセラミックスや金属によって形成されたガイドリングを、金属や繊維強化樹脂材によって形成したガイド保持体の保持部に保持させて構成し、このガイド保持体の基部を竿杆の外側に装着している。例えば、下記特許文献１や特許文献２に開示がある。何れも、ガイド保持体のガイド保持部の内周複数箇所に、ガイド保持体のガイド保持部の部材自体で凸部を一体形成しており、ガイドリングの外周をこれらの凸部によって押圧した状態で嵌合させている。
【先行技術文献】
【特許文献】
【０００３】
【特許文献１】実開昭５９−２６９６９号公報
【特許文献２】特開２００７−２７４９３１号公報
【発明の概要】
【発明が解決しようとする課題】
【０００４】
然しながら、こうした凸部の押圧によるガイドリングの嵌合作業では、ガイドリングが割れたり、保持部が変形したりする不具合が生じている。また、嵌合後の使用時において釣糸ガイド損傷の生じ易い場合がある。
依って本発明は、こうした不具合を防止した釣糸ガイドとその製造方法の提供を目的とする。
【課題を解決するための手段】
【０００５】
上記課題に鑑みて本願第１の発明は、竿杆の外側に設ける釣糸ガイドであって、該釣糸ガイドは、釣糸を挿通させるガイドリングを、竿杆に装着させるガイド保持体のガイド保持部で保持した構造であり、前記ガイドリングとガイド保持部との内の少なくとも一方に他方側に突出した凸部を設けており、該凸部が他方に当接するようにガイドリングがガイド保持部の内側に嵌合していると共に、前記一方が前記ガイドリングであり、該ガイドリングの外周面部の幅方向中央に溝を設けており、前記凸部は、前記ガイドリング及び前記ガイド保持部とは別部材で形成され、前記他方の材料よりも柔らかい材料で形成されていて、前記ガイドリングの溝に付着形成されており、該ガイドリングの円周方向に間隔をあけて複数個設けられていることを特徴とする釣糸ガイドを提供する。
【０００６】
第２の発明は、第１の発明の前記凸部の前記他方と当接している部分は、削られた状態を有するか、押し潰された状態の当接面となっている。
第３の発明は、第１又は第２の発明の前記ガイドリングとガイド保持部との間は、前記凸部に対して周方向に隣接した領域が空隙部を有しており、該空隙部に接着剤が充填されている。
【０００７】
第４の発明は、竿杆の外側に設ける釣糸ガイドの製造方法であって、
釣糸を挿通させるガイドリングと、該ガイドリングを竿杆に装着させるガイド保持体のガイド保持部との内の少なくとも一方に、他方の材料よりも柔らかい材料で所定部位に凸部を付着形成させ、
前記一方が前記ガイドリングであり、該ガイドリングの外周面部の幅方向中央に溝を設けており、前記凸部は、前記ガイドリング及び前記ガイド保持部とは別部材で形成されて前記溝に付着形成されると共に、前記ガイドリングの円周方向に間隔をあけて複数個設けられ、
前記凸部の一部が削られつつ、或いは該凸部が変形しつつ前記他方に当接するようにガイドリングをガイド保持部に圧入させる
ことを特徴とする釣糸ガイドの製造方法を提供する。
【発明の効果】
【０００８】
第１の発明では、ガイドリングとガイド保持部とが嵌合するが、その嵌合時に一方に設けた凸部が他方と当接しても、当該凸部はその他方よりも柔らかいため、該他方を損傷させる事を防止しつつ嵌合できる。
【０００９】
第２の発明では、凸部の当接部分は、削られた状態を有するか、押し潰された状態の当接面となっているので、密着性の良い嵌合状態が得られている。
第３の発明では、凸部に対して周方向に隣接した領域の空隙部には接着剤が充填されているので、圧入と併用されてガイドリングが保持部に対して更にしっかりとした状態で接合される。
【００１０】
第４の発明では、一方に他方の材料よりも柔らかい材料で凸部を付着形成させ、該凸部の一部が削られつつ、或いは該凸部が変形しつつ他方に当接するように圧入して釣糸ガイドを製造するため、ガイドリングもガイド保持部も損傷させないで密着性の良い嵌合が得られる。
【図面の簡単な説明】
【００１１】
【図１】本発明に係る釣糸ガイドの正面図である。
【図２】図１の矢視線Ｂ−Ｂによる断面要部図である。
【図３】図２と同様な断面要部図であって、図２の形態に代わる第２形態例示図である。
【図４】本発明に係る第３形態例の釣糸ガイドの組み立て前の断面要部図である。
【図５】組み立て後の図４の釣糸ガイドの断面要部図である。
【発明を実施するための形態】
【００１２】
以下、本発明を添付図面を用いて更に詳細に説明する。図１と図２を参照すると、金属やセラミックスから成るガイドリング２０Ｒは、その挿通孔Ｈに釣糸を通す。ガイドリング２０Ｒの外表面部には、その幅方向の中央に、この例では全周に亘って溝Ｍを形成している。この溝Ｍの位置であって、この例では円周方向に９０度間隔で離隔した位置に４個の部分球形状の凸部３０を径方向外側に向かって凸になるように、塗装、スクリーン印刷等の印刷、シールの貼着等によって付着形成している。このガイドリング２０Ｒはガイド保持体（フレーム）のガイド保持部２０Ａの内側に圧入嵌合されて釣糸ガイド２０が形成される。溝Ｍの存在により、ガイドリング２０Ｒへの凸部３０の付着力が強くなる。凸部３０は、これを設けるガイドリング２０Ｒ又はガイド保持体の幅に収まり、これより突出しない大きさに形成される。
【００１３】
上記ガイド保持体は金属や繊維強化合成樹脂材や合成樹脂材によって、竿杆１０の表面への取付部２０Ｃと、立上部２０Ｂとガイド保持部２０Ａとを一体に形成している。前記凸部３０の形成材料はこのガイド保持体のガイド保持部２０Ａの形成材よりも柔らかな材料、例えば接着剤等の合成樹脂材である。嵌合時には、凸部３０の頂部側がガイド保持部２０Ａの内周面に削られたり押し潰されつつ変形して当接嵌合する。平らになった面３０Ｔが凸部の当接面である。嵌合の結果、この４箇所の隣接凸部同士の（円周方向の）間には空隙が生じる。ガイドリング外表面又はガイド保持部内周面に、ガイドリングの圧入前に予め接着剤Ｓを塗布しておくか、或いは圧入後に前記空隙とその周辺に塗布し、凸部の押圧嵌合力と接着剤の接着力とによってガイドリングを保持する。
【００１４】
図３は、参考形態例であるため、異なる事項を説明する。ガイドリング２０Ｒの外表面の溝が微小凹凸の粗面Ｍ’に代わっており、また、凸部３０’の形状が異なっており、断面形状は概ね三角形であり、頂部が尖っている。このガイドリングをガイド保持部２０Ａに挿入嵌合させれば、凸部の頂部付近は押圧されつつ挿入方向とは逆方向に引っ張られたように変形し、当接平面３０Ｔ’となる。その他の事項は図２の形態と同様である。
【００１５】
図４と図５は、凸部３０がガイド保持部２０Ａの側に設けられた参考形態例を示している。ガイド保持部２０Ａの内周面にローレット状等の微小凹凸粗面Ｍ”を設けておき、この上に、適宜角度間隔で円周方向に複数個の凸部３０を付着形成している。この例の凸部３０は半球状等の球の部分であるが、図３に示すように尖った先端部を有する形態でもよい。この凸部３０（の材料）はガイドリング２０Ｒ（の材料）よりも柔らかい。
【００１６】
一方、ガイドリング２０Ｒの外表面にも微小凹凸粗面Ｍ’を形成している。従って、ガイドリングを圧入させると、凸部３０の頂部を削ったり押し潰しながら嵌合し、凸部の頂部付近はガイドリング２０Ｒの外表面に沿うように概ね平らな面３０Ｔ”になると共に、ガイドリングの微小凹凸粗面Ｍ’に食い込むように嵌合するため、嵌合力が向上する。その嵌合力と併せて、接着力を併用している。
【００１７】
図２や図３に示すように凸部をガイドリングの外周に設けると共に、図４のようにガイド保持部内周にも設け、この両部材を嵌合させてもよい。
以上の何れの実施形態例においても、ガイドリングとガイド保持部との嵌合の介在体となる凸部３０は相手部材よりも柔らかいため、何れの部材も損傷が防止され、信頼性の高い釣糸ガイドとその製造方法が得られる。
【産業上の利用可能性】
【００１８】
本発明は、竿杆外側に釣糸ガイドを設ける釣竿に利用できる。
【符号の説明】
【００１９】
２０                        釣糸ガイド
２０Ａ                      ガイド保持部
２０Ｒ                      ガイドリング
３０                        凸部
【図１】
0005466134.tif 000002
【図２】
0005466134.tif 000003
【図３】
0005466134.tif 000004
【図４】
0005466134.tif 000005
【図５】
0005466134.tif 000006